(57)【要約】  【課題】  より低コストに停電から復旧すること。  【解決手段】  本料金収受装置１に外部から供給される外部電力の停電を検出するセンサ４と、有料道路の料金収受に関するコンピュータプログラムを実行するＣＰＵ２と、コンピュータプログラムとＣＰＵ２により生成されるデータとを記憶するＤＲＡＭ３と、直流電力を生成する直流電源６とを備えている。そのＤＲＡＭ３は、外部電力を用いて間欠的にリフレッシュするリフレッシュモードと、直流電力を用いて間欠的にリフレッシュするセルフリフレッシュモードとを有している。本発明による名称１は、センサ４を用いて外部電力の停電を監視する電源監視部１２と、ＤＲＡＭ３がリフレッシュモードである場合で外部電力が停電したときに、ＣＰＵ２のレジスタ状態をＤＲＡＭ３に記録する書き込み部１３と、ＣＰＵ２のレジスタ状態がＤＲＡＭ３に記録された後に、ＤＲＡＭ３をセルフリフレッシュモードに変換するモード変換部１４とを備えている。  【選択図】  図１
2006227941.tif 000002
【特許請求の範囲】
【請求項１】
本料金収受装置に外部から供給される外部電力の停電を検出するセンサと、
有料道路の料金収受に関するコンピュータプログラムを実行するＣＰＵと、
前記コンピュータプログラムと前記ＣＰＵにより生成されるデータとを記憶するＤＲＡＭと、
直流電力を生成する直流電源とを備え、
前記ＤＲＡＭは、
前記外部電力を用いて間欠的にリフレッシュするリフレッシュモードと、
前記直流電力を用いて間欠的にリフレッシュするセルフリフレッシュモードとを有する
料金収受装置であり、
前記センサを用いて前記外部電力の停電を監視する電源監視部と、
前記ＤＲＡＭが前記リフレッシュモードである場合で前記外部電力が停電したときに、前記ＣＰＵのレジスタ状態を前記ＤＲＡＭに記録する書き込み部と、
前記ＣＰＵのレジスタ状態が前記ＤＲＡＭに記録された後に、前記ＤＲＡＭを前記セルフリフレッシュモードに変換するモード変換部
とを具備する料金収受装置。
【請求項２】
請求項１において、
前記ＤＲＡＭは、ＳＤＲＡＭである
料金収受装置。
【請求項３】
請求項１または請求項２のいずれかにおいて、
前記直流電源は、化学エネルギーを電気エネルギーに変換する電池である
料金収受装置。
【請求項４】
請求項１または請求項２のいずれかにおいて、
前記直流電源は、電荷を蓄えるスーパーコンデンサである
料金収受装置。
【請求項５】
請求項１〜請求項４のいずれかにおいて、
前記外部電力が復旧したときに、前記ＤＲＡＭを前記リフレッシュモードに変換する他のモード変換部と、
前記ＤＲＡＭが前記リフレッシュモードに変換された後に、前記ＤＲＡＭに記録されるレジスタ状態を前記ＣＰＵに書き戻す書き戻し部
とを更に具備する料金収受装置。
【請求項６】
請求項１〜請求項５のいずれかにおいて、
前記料金収受装置は、前記ＣＰＵにより制御される周辺機器を備え、
更に、
前記外部電力が停電したときに、前記周辺機器をリセットするリセット部と、
前記外部電力が復旧したときに、前記周辺機器をセットするセット部
を更に具備する料金収受装置。
【請求項７】
本料金収受装置に外部から供給される外部電力の停電を検出するセンサと、
コンピュータプログラムを実行するＣＰＵと、
前記コンピュータプログラムと前記ＣＰＵにより生成されるデータとを記憶するＤＲＡＭと、
直流電力を生成する直流電源とを備え、
前記ＤＲＡＭは、
前記外部電力を用いて間欠的にリフレッシュするリフレッシュモードと、
前記直流電力を用いて間欠的にリフレッシュするセルフリフレッシュモードとを有する
料金収受装置により実行される電断復旧処理方法であり、
前記センサを用いて前記外部電力の停電を監視するステップと、
前記ＤＲＡＭが前記リフレッシュモードである場合で前記外部電力が停電したときに、前記ＣＰＵのレジスタ状態を前記ＤＲＡＭに記録するステップと、
前記ＣＰＵのレジスタ状態が前記ＤＲＡＭに記録された後に、前記ＤＲＡＭを前記セルフリフレッシュモードに変換するステップ
とを具備する電断復旧処理方法。
【請求項８】
請求項７において、
前記外部電力が復旧したときに、前記ＤＲＡＭを前記リフレッシュモードに変換するステップと、
前記ＤＲＡＭが前記リフレッシュモードに変換された後に、前記ＤＲＡＭに記録されるレジスタ状態を前記ＣＰＵに書き戻すステップ
とを更に具備する電断復旧処理方法。
【請求項９】
請求項７または請求項８のいずれかにおいて、
前記料金収受装置は、前記ＣＰＵにより制御される周辺機器を備え、
更に、
前記外部電力が停電したときに、前記周辺機器をリセットするステップと、
前記外部電力が復旧したときに、前記周辺機器をセットするステップ
を更に具備する電断復旧処理方法。
【請求項１０】
本コンピュータに外部から供給される外部電力の停電を検出するセンサと、
コンピュータプログラムを実行するＣＰＵと、
前記コンピュータプログラムと前記ＣＰＵにより生成されるデータとを記憶するＳＤＲＡＭと、
直流電力を生成する直流電源とを備え、
前記ＳＤＲＡＭは、
前記外部電力を用いて間欠的にリフレッシュするリフレッシュモードと、
前記直流電力を用いて間欠的にリフレッシュするセルフリフレッシュモードとを有する
コンピュータであり、
前記ＳＤＲＡＭが前記リフレッシュモードである場合で前記外部電力が停電したときに、前記ＣＰＵのレジスタ状態を前記ＳＤＲＡＭに記録する書き込み部と、
前記ＣＰＵのレジスタ状態が前記ＳＤＲＡＭに記録された後に、前記ＳＤＲＡＭを前記セルフリフレッシュモードに変換するモード変換部
とを具備するコンピュータ。
【請求項１１】
請求項１０において、
前記外部電力が復旧したときに、前記ＤＲＡＭを前記リフレッシュモードに変換する他のモード変換部と、
前記ＤＲＡＭが前記リフレッシュモードに変換された後に、前記ＤＲＡＭに記録されるレジスタ状態を前記ＣＰＵに書き戻す書き戻し部
とを更に具備するコンピュータ。
【請求項１２】
請求項１０または請求項１１のいずれかにおいて、
前記直流電源は、化学エネルギーを電気エネルギーに変換する電池である
コンピュータ。
【請求項１３】
請求項１０または請求項１１のいずれかにおいて、
前記直流電源は、電荷を蓄えるスーパーコンデンサである
コンピュータ。
【発明の詳細な説明】
【技術分野】
【０００１】
本発明は、料金収受装置及び電断復旧処理方法に関し、特に、有料道路の料金を収受するときに利用される料金収受装置及び電断復旧処理方法に関する。
【背景技術】
【０００２】
有料道路の料金を収受するときに利用される料金収受システムが知られている。図７は、公知の料金収受システムを示す。その料金収受システム１００は、料金所１１０と、料金事務所１２０と、料金所１１０に面して敷設される車両の進入路に備えられる信号灯１３０、車両台数計測機１４０および踏み板１５０を備えている。料金所１１０は、料金収受装置１１１、領収書発行機１１２、前払いカード処理機１１３を備えている。料金事務所１２０は、データ入力装置１２１、料金所集計処理装置１２２、無停電電源装置１２３、前払いカード再発行機１２４を備えている。
【０００３】
次に、料金収受システム１００の動作原理について説明する。料金収受システム１００の料金所１１０に面して敷設される車両進入路に車両が進入してくると、車両の進入路に備えられる信号灯１３０により、当該車両の前方の車両の有無に基づいて車両の進入可否が制御される。そして、信号灯１３０により当該車両へ、料金所への進入が許可されると、料金所１１０において、収受員の操作入力による当該車両に対する料金収受作業が行われる。この際、料金所１１０内に設置されている料金収受装置１１１、領収書発行機１１２、前払いカード処理機１１３によるデータ処理が行われ、このデータは料金事務所１２０内に設置された料金所集計処理装置１２２へと送信される。そして、料金所集計処理装置１２２においては、受信した当該データに基づいて通行料の集計処理すると共に、図示せぬ車種判別装置と車両台数計測機１４０、および踏み板１５０により自動判別された車種および台数に基づく収受演算、あるいは図示せぬＥＴＣ読み取り装置から送信されてくる料金収受データに基づく収受演算が行われる。
【０００４】
こうした料金収受システム１００は、料金収受装置１１１がＩＣカードリーダを備えている。利用者がカードを挿入すると自動的に料金収受業務を行ってカードを返却する図示せぬ自動料金収受機がＩＣカードリーダを備えている。特に、料金収受所において、磁気ストライプ、接触型ＩＣチップ、非接触型ＩＣチップ、またはそれらの２以上を備えたカードが混在して使用される状況に好適に用いられる。
【０００５】
料金収受装置１１１、領収書発行機１１２、前払いカード処理機１１３、料金所集計処理装置１２２、前払いカード再発行機１２４に例示される料金自動収受システムを構成する各装置は、停電時でもその料金の取引に関する情報を記録することが望まれている。停電時にコンピュータなどに短時間だけ電力を供給する無停電電源装置が知られている。料金自動収受システムは、その無停電電源装置を用いて、その料金の取引に関する情報をより確実に記録している。料金自動収受システムは、より低コストに停電から復旧することが望まれている。
【０００６】
特開昭６０−４５８２７号公報には、階層型計算機システムにおいて上位電子計算機がＣＶＣＦを必要とせずに電断復旧し、データ処理を継続することのできる階層型計算機システムにおける電断復旧方式が開示されている。その階層型計算機システムにおける電断復旧方式は、複数の計算機を備え、データ処理を階層化して行う階層型計算機システムにおいて、下位計算機から上位計算機へ送信されるデータ各々に処理連番情報を付加する手段と、受信データを対応する処理連番情報と共に蓄積する手段、及び送信データを対応する処理連番情報と共に所定量単位で蓄積する手段と、電断復旧時に、最終蓄積データに対応する処理連番情報を検索する手段とを有し、電断復旧後、上記処理連番情報をもとに、電断により中断された先頭データよりデータ送信を再開することを特徴としている。
【０００７】
【特許文献１】特開昭６０−４５８２７号公報
【発明の開示】
【発明が解決しようとする課題】
【０００８】
本発明の課題は、より低コストで停電から復旧する料金収受装置及び電断復旧処理方法を提供することにある。
【課題を解決するための手段】
【０００９】
以下に、発明を実施するための最良の形態・実施例で使用される符号を括弧付きで用いて、課題を解決するための手段を記載する。この符号は、特許請求の範囲の記載と発明を実施するための最良の形態・実施例の記載との対応を明らかにするために付加されたものであり、特許請求の範囲に記載されている発明の技術的範囲の解釈に用いてはならない。
【００１０】
本発明による料金収受装置（１）は、本料金収受装置（１）に外部から供給される外部電力の停電を検出するセンサ（４）と、有料道路の料金収受に関するコンピュータプログラムを実行するＣＰＵ（２）と、前記コンピュータプログラムと前記ＣＰＵ（２）により生成されるデータとを記憶するＤＲＡＭ（３）と、直流電力を生成する直流電源（６）とを備えている。そのＤＲＡＭ（３）は、前記外部電力を用いて間欠的にリフレッシュするリフレッシュモードと、前記直流電力を用いて間欠的にリフレッシュするセルフリフレッシュモードとを有している。本発明による料金収受装置（１）は、前記センサ（４）を用いて前記外部電力の停電を監視する電源監視部（１２）と、前記ＤＲＡＭ（３）が前記リフレッシュモードである場合で前記外部電力が停電したときに、前記ＣＰＵ（２）のレジスタ状態を前記ＤＲＡＭ（３）に記録する書き込み部（１３）と、前記ＣＰＵ（２）のレジスタ状態が前記ＤＲＡＭ（３）に記録された後に、前記ＤＲＡＭ（３）を前記セルフリフレッシュモードに変換するモード変換部（１４）とを備えていることが好ましい。
【００１１】
ＣＰＵ（２）は、一般的に、料金収受装置（１）に備えられているコンデンサに蓄積されている電荷を用いて、停電してから所定の時間（Δｔ１）だけ動作することができる。このとき、料金収受装置（１）は、外部電力の供給なしに、停電してから所定の時間（Δｔ１）の間に料金収受装置（１）の停電前の状態を記録し保持することにより、停電前の状態に復旧することができる。
【００１２】
そのＤＲＡＭ（３）は、ＳＤＲＡＭであることが好ましい。その直流電源（６）は、化学エネルギーを電気エネルギーに変換する電池であることが好ましい。または、その直流電源（６）は、電荷を蓄えるスーパーコンデンサであることが好ましい。
【００１３】
本発明による料金収受装置（１）は、前記外部電力が復旧したときに、前記ＤＲＡＭ（３）を前記リフレッシュモードに変換する他のモード変換部（１）と、前記ＤＲＡＭ（３）が前記リフレッシュモードに変換された後に、前記ＤＲＡＭ（３）に記録されるレジスタ状態を前記ＣＰＵ（２）に書き戻す書き戻し部（１）とを更に備えることが好ましい。
【００１４】
前記料金収受装置（１）は、前記ＣＰＵ（２）により制御される周辺機器を備えている。このとき、本発明による料金収受装置（１）は、更に、前記外部電力が停電したときに、前記周辺機器をリセットするリセット部（１）と、前記外部電力が復旧したときに、前記周辺機器をセットするセット部（１）を更に備えることが好ましい。
【００１５】
本発明による電断復旧処理方法は、料金収受装置（１）により実行される。料金収受装置（１）は、本料金収受装置（１）に外部から供給される外部電力の停電を検出するセンサ（４）と、コンピュータプログラムを実行するＣＰＵ（２）と、コンピュータプログラムとＣＰＵ（２）により生成されるデータとを記憶するＤＲＡＭ（３）と、直流電力を生成する直流電源（６）とを備えている。ＤＲＡＭ（３）は、外部電力を用いて間欠的にリフレッシュするリフレッシュモードと、直流電力を用いて間欠的にリフレッシュするセルフリフレッシュモードとを有している。本発明による電断復旧処理方法は、センサ（４）を用いて外部電力の停電を監視するステップと、ＤＲＡＭ（３）がリフレッシュモードである場合で外部電力が停電したときに、ＣＰＵ（２）のレジスタ状態をＤＲＡＭ（３）に記録するステップと、ＣＰＵ（２）のレジスタ状態がＤＲＡＭ（３）に記録された後に、ＤＲＡＭ（３）をセルフリフレッシュモードに変換するステップとを備えていることが好ましい。
【００１６】
ＣＰＵ（２）は、一般的に、料金収受装置（１）に備えられているコンデンサに蓄積されている電荷を用いて、停電してから所定の時間（Δｔ１）だけ動作することができる。このとき、料金収受装置（１）は、本発明による電断復旧処理方法を実行することにより、停電前の状態に復旧することができる。
【００１７】
本発明による電断復旧処理方法は、外部電力が復旧したときにＤＲＡＭ（３）をリフレッシュモードに変換するステップと、ＤＲＡＭ（３）がリフレッシュモードに変換された後にＤＲＡＭ（３）に記録されるレジスタ状態をＣＰＵ（２）に書き戻すステップとを更に備えていることが好ましい。
【００１８】
料金収受装置（１）は、ＣＰＵ（２）により制御される周辺機器を備えている。このとき、本発明による電断復旧処理方法は、更に、外部電力が停電したときに周辺機器をリセットするステップと、外部電力が復旧したときに周辺機器をセットするステップを更に備えていることが好ましい。
【００１９】
本発明によるコンピュータ（１）は、本コンピュータ（１）に外部から供給される外部電力の停電を検出するセンサ（４）と、コンピュータプログラムを実行するＣＰＵ（２）と、コンピュータプログラムとＣＰＵ（２）により生成されるデータとを記憶するＳＤＲＡＭ（３）と、直流電力を生成する直流電源（６）とを備えている。ＳＤＲＡＭ（３）は、外部電力を用いて間欠的にリフレッシュするリフレッシュモードと、直流電力を用いて間欠的にリフレッシュするセルフリフレッシュモードとを有する。本発明によるコンピュータ（１）は、ＳＤＲＡＭ（３）がリフレッシュモードである場合で外部電力が停電したときに、ＣＰＵ（２）のレジスタ状態をＳＤＲＡＭ（３）に記録する書き込み部と、ＣＰＵ（２）のレジスタ状態がＳＤＲＡＭ（３）に記録された後に、ＳＤＲＡＭ（３）をセルフリフレッシュモードに変換するモード変換部とを備えていることが好ましい。
【００２０】
本発明によるコンピュータ（１）は、外部電力が復旧したときにＤＲＡＭ（３）をリフレッシュモードに変換する他のモード変換部と、ＤＲＡＭ（３）がリフレッシュモードに変換された後にＤＲＡＭ（３）に記録されるレジスタ状態をＣＰＵ（２）に書き戻す書き戻し部とを更に備えていることが好ましい。
【００２１】
その直流電源（６）は、化学エネルギーを電気エネルギーに変換する電池であることが好ましい。または、その直流電源（６）は、電荷を蓄えるスーパーコンデンサであることが好ましい。
【発明の効果】
【００２２】
本発明による料金収受装置及び電断復旧処理方法は、より低コストで停電から復旧することができる。
【発明を実施するための最良の形態】
【００２３】
図面を参照して、本発明による料金収受装置の実施の形態を記載する。その料金収受装置１は、有料道路の料金収受に適用されているコンピュータであり、図１に示されているように、ＣＰＵ２とＳＤＲＡＭ３と電源センサ４と周辺機器５と電池６を備えている。ＣＰＵ２は、コンピュータプログラムを実行して、ＳＤＲＡＭ３と電源センサ４と周辺機器５とを制御する。電池６は、化学エネルギーを電気エネルルギーに変換して直流電力を生成する。このような電池６としては、乾電池が例示される。なお、電池６は、外部から供給される電力を化学エネルギーに変換して充電する二次電池に置換することもできる。このとき、その二次電池は、料金収受装置１に供給される電力を用いて、充電する。さらに、電池６は、直流電力を生成する他の装置に置換することができる。その装置としては、電荷を蓄えるスーパーコンデンサが例示される。
【００２４】
ＳＤＲＡＭ３は、外部バスインターフェースが一定周期のクロック信号に同期して動作するＤＲＡＭであり、一定時間毎に再書き込み(リフレッシュ)して記憶を保持する必要がある。このため、ＳＤＲＡＭ３は、電力の供給を停止すると記憶内容は消去される。ＳＤＲＡＭ３は、さらに、リフレッシュモードとセルフリフレッシュモードとの２つのモードを有している。ＳＤＲＡＭ３は、そのリフレッシュモードのときに外部から供給される電力を用いて間欠的に一定時間毎にリフレッシュし、そのセルフリフレッシュモードのときに電池に６より生成される直流電力を用いて間欠的に一定時間毎にリフレッシュする。ＳＤＲＡＭ３は、ＣＰＵ２により実行されるコンピュータプログラムを記録し、ＣＰＵ２により生成されるデータを記録する。ＳＤＲＡＭ３は、さらに、ＣＰＵ２のレジスタ状態を記録する分の記憶容量が確保されている。
【００２５】
電源センサ４は、外部から料金収受装置１に供給される電力を監視して、ＰＦＡＩＬ信号とＳＣＬＲ信号とをＣＰＵ２に供給する。そのＰＦＡＩＬ信号は、電源センサ４によりその電力の停電が検出されたときにＯＮを示し、その停電の復旧が検出されたときにＯＦＦを示す。そのＳＣＬＲ信号は、そのＰＦＡＩＬ信号がＯＮを示してから所定の時間だけ経過した後にＯＮを示し、そのＰＦＡＩＬ信号がＯＦＦを示してから所定の時間だけ経過した後にＯＦＦを示す。
【００２６】
周辺機器５は、入力装置または出力装置である。その入力装置は、外部で生成される情報をＣＰＵ２に出力する。その出力装置は、ＣＰＵ２により生成されるデータを外部に出力する。周辺機器５としては、ユーザに操作されて情報を生成するキーボード、情報を表示面に表示するディスプレイが例示される。
【００２７】
図２は、ＣＰＵ２により実行されるコンピュータプログラムを示している。そのコンピュータプログラムは、料金収受アプリケーション１１と電源監視部１２と書き込み部１３と第１モード変換部１４とリセット部１５と第２モード変換部１６と書き戻し部１７とセット部１８とから形成されている。
【００２８】
料金収受アプリケーション１１は、料金収受装置１を用いて有料道路の料金収受に関する動作を実行する。
【００２９】
電源監視部１２は、電源センサ４を用いて外部から料金収受装置１に供給される電力を監視する。すなわち、電源監視部１２は、電源センサ４から出力されるＰＦＡＩＬ信号とＳＣＬＲ信号とを監視し、ＰＦＡＩＬ信号がＯＮとＯＦＦとに切り替わるタイミングを検出し、ＳＣＬＲ信号がＯＮとＯＦＦとに切り替わるタイミングを検出する。
【００３０】
書き込み部１３は、電源監視部１２により出力されるＰＦＡＩＬ信号がＯＮからＯＦＦに切り替わることが検出されたときに、料金収受アプリケーション１１の実行を停止して、ＣＰＵ２のレジスタ状態をＳＤＲＡＭ３に記録する。
【００３１】
第１モード変換部１４は、電源監視部１２により出力されるＰＦＡＩＬ信号がＯＮからＯＦＦに切り替わることが検出されてから所定の時間が経過した後に、ＳＤＲＡＭ４のモードをリフレッシュモードからセルフリフレッシュモードに切り替える。その所定の時間は、書き込み部１３によりＣＰＵ２のレジスタ状態がＳＤＲＡＭ３に記録される時間より長い。すなわち、第１モード変換部１４は、書き込み部１３によりＣＰＵ２のレジスタ状態がＳＤＲＡＭ３に記録された後に、ＳＤＲＡＭ４のモードをリフレッシュモードからセルフリフレッシュモードに切り替える。
【００３２】
リセット部１５は、電源監視部１２により出力されるＳＣＬＲ信号がＯＮからＯＦＦに切り替わることが検出されたときに、周辺機器５を電力の供給が停止されてもよい状態にリセットする。
【００３３】
第２モード変換部１６は、電源監視部１２により出力されるＰＦＡＩＬ信号がＯＦＦからＯＮに切り替わることが検出されたときに、ＳＤＲＡＭ４のモードをセルフリフレッシュモードからリフレッシュモードに切り替える。
【００３４】
書き戻し部１７は、電源監視部１２により出力されるＰＦＡＩＬ信号がＯＦＦからＯＮに切り替わることが検出されたときに、すなわち、ＳＤＲＡＭ４のモードがセルフリフレッシュモードからリフレッシュモードに切り替わったときに、ＳＤＲＡＭ３に記録されるＣＰＵ２のレジスタ状態をＣＰＵ２に書き戻す。
【００３５】
セット部１８は、電源監視部１２により出力されるＳＣＬＲ信号がＯＦＦからＯＮに切り替わることが検出されたときに、周辺機器５をＣＰＵ２により制御可能な状態にセットする。
【００３６】
なお、コンピュータプログラム１０は、ハードウェアにより構成することができる。そのハードウェアは、ソフトウェアである電源監視部１２と書き込み部１３と第１モード変換部１４とリセット部１５と第２モード変換部１６と書き戻し部１７とセット部１８とが示す複数の動作をそれぞれ実行する複数の電気回路から形成される。すなわち、料金収受装置１は、その複数の電気回路を備えることにより、その複数の動作を実行する。
【００３７】
このような料金収受装置１は、無停電電源装置を備える公知の料金収受装置より安価に製造されることができる。
【００３８】
本発明による電断復旧処理方法の実施の形態は、外部から供給される電力を監視する動作と、その電力が停電したときの動作とその停電が復旧したときの動作とを備えている。その外部から供給される電力を監視する動作は、常時に実行される。その動作では、料金収受装置１は、電源センサ４を用いて、その電力の停電が検出されるタイミングと、その停電が検出されてから所定の時間だけ経過したタイミングと、その停電の復旧が検出されるタイミングと、その復旧が検出されてから所定の時間だけ経過したタイミングとを検出する。
【００３９】
図３は、その電力が停電したときの動作を示している。料金収受装置１は、その電力の停電が検出されたときに、まず、実行されているコンピュータプログラム（たとえば、料金収受アプリケーション１１）の実行を停止する（ステップＳ１）。料金収受装置１は、ＣＰＵ２のレジスタ状態をＳＤＲＡＭ３に記録する（ステップＳ２）。料金収受装置１は、その停電が検出されてから所定の時間だけ経過した後に、すなわち、ＣＰＵ２のレジスタ状態がＳＤＲＡＭ３に記録された後に、ＳＤＲＡＭ４のモードをリフレッシュモードからセルフリフレッシュモードに切り替える（ステップＳ３）。料金収受装置１は、周辺機器５を電力の供給が停止されてもよい状態にリセットする（ステップＳ４）。
【００４０】
図４は、ステップＳ１〜ステップＳ４が実行されるタイミングを示している。料金収受装置１は、時刻ｔ１で停電を検出したときに、時刻ｔ１から時間Δｔ２だけ経過した時刻ｔ２までに、ステップＳ１〜ステップＳ２を実行してＣＰＵ２のレジスタ状態をＳＤＲＡＭ３に記録する。料金収受装置１は、時刻ｔ２より後の時刻ｔ３に、ステップＳ３を実行してＳＤＲＡＭ４のモードをリフレッシュモードからセルフリフレッシュモードに切り替える。料金収受装置１は、時刻ｔ３より後の時刻ｔ４に、ステップＳ４を実行して周辺機器５を電力の供給が停止されてもよい状態にリセットする。
【００４１】
料金収受装置１は、一般的に、内部に備えられているコンデンサに蓄積されている電荷を用いて、停電してから所定の時間Δｔ１だけ動作することができる。料金収受装置１は、ステップＳ１〜ステップＳ４の動作を時間Δｔ１内に実行することができるように設計されている。なお、ステップＳ４は、ステップＳ１、ステップＳ２またはステップＳ３より前に実行されることもできる。ステップＳ４は、その重要度から、ステップＳ１〜ステップＳ３より後に実行されることが好ましい。
【００４２】
図５は、その停電が復旧したときの動作を示している。料金収受装置１は、停電の復旧が検出されて所定の時間が経過した後に、まず、周辺機器５をＣＰＵ２により制御可能な状態にセットする（ステップＳ１１）。料金収受装置１は、ＳＤＲＡＭ４のモードをセルフリフレッシュモードからリフレッシュモードに切り替える（ステップＳ１２）。料金収受装置１は、ＳＤＲＡＭ３に記録されているＣＰＵ２のレジスタ状態をＣＰＵ２に書き戻す（ステップＳ１３）。料金収受装置１は、ＳＤＲＡＭ３に記録されたレジスタ状態がＣＰＵ２に書き戻された後に、停電時に実行されていたコンピュータプログラム（たとえば、料金収受アプリケーション１１）を継続して実行する（ステップＳ１４）。
【００４３】
図６は、ステップＳ１１〜ステップＳ１４が実行されるタイミングを示している。料金収受装置１は、時刻ｔ１１で停電の復旧を検出してから所定の時間だけ経過した時刻ｔ１２に、ステップＳ１１を実行して周辺機器５をＣＰＵ２により制御可能な状態にセットする。料金収受装置１は、時刻ｔ１２より後の時刻ｔ１３に、ステップＳ１２を実行してＳＤＲＡＭ４のモードをセルフリフレッシュモードからリフレッシュモードに切り替える。料金収受装置１は、時刻ｔ１３より時間Δｔ３だけ経過した時刻ｔ１４までに、ステップＳ１３を実行してＳＤＲＡＭ３に記録されたレジスタ状態がＣＰＵ２に書き戻す。料金収受装置１は、時刻ｔ１４に、すなわち、ＳＤＲＡＭ３に記録されたレジスタ状態がＣＰＵ２に書き戻された後に、停電時に実行されていたコンピュータプログラム（たとえば、料金収受アプリケーション１１）を継続して実行する。
【００４４】
料金収受装置１は、このような電断復旧処理方法を実行することにより、料金収受装置（１）の停電前の状態を記録し、停電中にその記録を保持し、停電の復旧時に停電前の状態に復旧することができる。このような電断復旧処理方法によれば、料金収受装置１は、無停電電源装置を用いて停電を復旧することより低コストで、停電から復旧することができる。
【図面の簡単な説明】
【００４５】
【図１】図１は、本発明による料金収受装置の実施の形態を示すブロック図である。
【図２】図２は、コンピュータプログラムを示すブロック図である。
【図３】図３は、電力が停電したときの動作を示すフローチャートである。
【図４】図４は、ステップＳ１〜ステップＳ４が実行されるタイミングを示すタイミングチャートである。
【図５】図５は、停電が復旧したときの動作を示すフローチャートである。
【図６】図６は、ステップＳ１〜ステップＳ４が実行されるタイミングを示すタイミングチャートである。
【図７】図７は、公知の料金収受システムを示す概略構成図である。
【符号の説明】
【００４６】
１  ：料金収受装置
２  ：ＣＰＵ
３  ：ＳＤＲＡＭ
４  ：電源センサ
５  ：周辺機器
６  ：電池
１０：コンピュータプログラム
１１：料金収受アプリケーション
１２：電源監視部
１３：書き込み部
１４：第１モード変換部
１５：リセット部
１６：第２モード変換部
１７：書き戻し部
１８：セット部
【図１】
2006227941.tif 000003
【図２】
2006227941.tif 000004
【図３】
2006227941.tif 000005
【図４】
2006227941.tif 000006
【図５】
2006227941.tif 000007
【図６】
2006227941.tif 000008
【図７】
2006227941.tif 000009